(57)【要約】【課題】本発明は、移動通信システムで基地局と端末との間のチャネル品質情報を交換する方法に関するものである。【解決手段】本発明に係る移動通信システムでのチャネル品質情報伝送方法は、移動通信システムで端末から基地局にチャネル品質情報を伝送する方法において、前記基地局から受信された信号に基づいて測定されたチャネル品質情報を前記基地局に伝送する段階と；前記基地局から前記チャネル品質情報に対するフィードバック情報を受信する段階と；前記フィードバック情報に基づいて前記端末が伝送したチャネル品質情報と前記基地局によって受信されたチャネル品質情報とを一致させるための誤差情報を前記基地局に伝送する段階と；を含んで構成されることを特徴とする。【選択図】図４
2009529252.tif 000002
【特許請求の範囲】
【請求項１】
多数の搬送波を用いてデータを伝送するシステムに適用されるチャネル品質情報（Ｃｈａｎｎｅｌ  Ｑｕａｌｉｔｙ  Ｉｎｆｏｒｍａｔｉｏｎ；ＣＱＩ）伝送方法において、
全体の周波数帯域が多数のＣＱＩ帯域からなり、前記ＣＱＩ帯域に相応するＣＱＩを伝送し、一定の大きさ以上である第１情報を媒体接続制御（Ｍｅｄｉｕｍ  Ａｃｃｅｓｓ  Ｃｏｎｔｒｏｌ；ＭＡＣ）シグナリングを用いて伝送する段階と；
前記ＣＱＩ帯域に相応するＣＱＩを伝送し、一定の大きさ以下である第２情報を物理チャネルを用いて伝送する段階と；を含むチャネル品質情報伝送方法。
【請求項２】
前記第１情報は、全てのＣＱＩ帯域に対するＣＱＩであることを特徴とする請求項１に記載のチャネル品質情報伝送方法。
【請求項３】
前記第２情報は、各ＣＱＩ帯域に相応する差等変調（Ｄｉｆｆｅｒｅｎｔｉａｌ  Ｍｏｄｕｌａｔｉｏｎ；ＤＭ）情報であることを特徴とする請求項２に記載のチャネル品質情報伝送方法。
【請求項４】
前記媒体接続制御（Ｍｅｄｉｕｍ  Ａｃｃｅｓｓ  Ｃｏｎｔｒｏｌ；ＭＡＣ）シグナリングを通して、前記差等変調のための基準値情報が伝送されることを特徴とする請求項３に記載のチャネル品質情報伝送方法。
【請求項５】
前記物理チャネルを通した第２情報伝送は、周期的に行われることを特徴とする請求項１に記載のチャネル品質情報伝送方法。
【請求項６】
前記周期は、調整可能な周期であることを特徴とする請求項５に記載のチャネル品質情報伝送方法。
【請求項７】
前記ＭＡＣシグナリングを通した第１情報伝送は、周期的に行われることを特徴とする請求項１に記載のチャネル品質情報伝送方法。
【請求項８】
前記ＭＡＣシグナリングを通した第１情報伝送は、基地局のスケジューラによって制御されることを特徴とする請求項１に記載のチャネル品質情報伝送方法。
【請求項９】
前記ＭＡＣシグナリングを通した第１情報伝送は、特定のイベントが発生する場合に行われることを特徴とする請求項１に記載のチャネル品質情報伝送方法。
【請求項１０】
前記第１情報及び前記第２情報を用いてダウンリンクスケジューリングを行うことを特徴とする請求項１に記載のチャネル品質情報伝送方法。
【請求項１１】
移動通信システムで端末から基地局にチャネル品質情報を伝送する方法において、
前記基地局から受信された信号に基づいて測定されたチャネル品質情報を前記基地局に伝送する段階と；
前記基地局から前記チャネル品質情報に対するフィードバック情報を受信する段階と；
前記フィードバック情報に基づいて前記端末が伝送したチャネル品質情報と前記基地局によって受信されたチャネル品質情報とを一致させるための誤差情報を前記基地局に伝送する段階と；を含むチャネル品質情報伝送方法。
【請求項１２】
前記端末が伝送したチャネル品質情報と前記フィードバック情報との比較結果が一定の条件を満足する場合、前記誤差情報を前記基地局に伝送することを特徴とする請求項１１に記載のチャネル品質情報伝送方法。
【請求項１３】
前記基地局から前記一定の条件を満足するかを判断するためのパラメータを受信する段階をさらに含むことを特徴とする請求項１２に記載のチャネル品質情報伝送方法。
【請求項１４】
前記パラメータは、前記フィードバック情報と一緒に受信されることを特徴とする請求項１３に記載のチャネル品質情報伝送方法。
【請求項１５】
前記パラメータは、前記基地局と端末との間の呼設定段階で受信されることを特徴とする請求項１３に記載のチャネル品質情報伝送方法。
【請求項１６】
前記フィードバック情報は、周期的または非周期的に受信されることを特徴とする請求項１１に記載のチャネル品質情報伝送方法。
【請求項１７】
前記フィードバック情報は、周期的に受信される場合、制御チャネルを通して受信されることを特徴とする請求項１６に記載のチャネル品質情報伝送方法。
【請求項１８】
前記フィードバック情報は、非周期的に受信される場合、データチャネルを通して受信されることを特徴とする請求項１６に記載のチャネル品質情報伝送方法。
【請求項１９】
前記誤差情報は、競争基盤（ｃｏｎｔｅｎｔｉｏｎ−ｂａｓｅｄ）方式で伝送されることを特徴とする請求項１１に記載のチャネル品質情報伝送方法。
【請求項２０】
前記誤差情報は、スケジューリング伝送方式で伝送されることを特徴とする請求項１１に記載のチャネル品質情報伝送方法。
【請求項２１】
移動通信システムにおいて、
基地局から伝送された信号に基づいて端末によって測定されたチャネル品質情報を前記端末から受信する段階と；
前記受信されたチャネル品質情報と前記端末によって伝送されたチャネル品質情報とを比較するためのフィードバック情報を前記端末に伝送する段階と；を含むチャネル品質情報伝送支援方法。
【請求項２２】
前記受信されたチャネル品質情報と前記端末によって伝送されたチャネル品質情報とを一致させるための誤差情報を前記端末から受信する段階をさらに含む請求項２１に記載のチャネル品質情報伝送支援方法。
【請求項２３】
前記端末で前記誤差情報を伝送するための一定の条件を満足するかを判断するためのパラメータを前記端末に伝送する段階をさらに含むことを特徴とする請求項２１に記載のチャネル品質情報伝送支援方法。
【請求項２４】
前記パラメータは、前記フィードバック情報と一緒に伝送されることを特徴とする請求項２３に記載のチャネル品質情報伝送支援方法。
【請求項２５】
前記パラメータは、前記基地局と端末との間の呼設定段階で伝送されることを特徴とする請求項２３に記載のチャネル品質情報伝送支援方法。
【請求項２６】
前記フィードバック情報は、周期的または非周期的に伝送されることを特徴とする請求項２３に記載のチャネル品質情報伝送支援方法。
【発明の詳細な説明】
【技術分野】
【０００１】
本発明は、移動通信システムに関するもので、より具体的に、移動通信システムでチャネル品質情報を伝送する方法に関するものである。
【背景技術】
【０００２】
移動通信システムにおいて、端末は、基地局から受信された信号を用いてダウンリンクチャネルの品質を測定し、前記基地局にチャネル品質情報を伝送する。前記基地局は、少なくとも一つ以上の端末から受信されたチャネル品質情報にしたがってダウンリンクスケジューリングを行う。前記チャネル品質情報の例としては、ＣＱＩ（Ｃｈａｎｎｅｌ  Ｑｕａｌｉｔｙ  Ｉｎｄｉｃａｔｏｒ）、ＳＮＲ（Ｓｉｇｎａｌ  ｔｏ  Ｎｏｉｓｅ  Ｒａｔｉｏ）、ＣＩＮＲ（Ｃａｒｒｉｅｒ  ｔｏ  Ｉｎｔｅｒｆｅｒｅｎｃｅ  ａｎｄ  Ｎｏｉｓｅ  Ｒａｔｉｏ）、ＢＥＲ（Ｂｉｔ  Ｅｒｒｏｒ  Ｒａｔｅ）、ＦＥＲ（Ｆｒａｍｅ  Ｅｒｒｏｒ  Ｒａｔｅ）などを挙げることができる。前記チャネル品質情報は、アップリンク制御チャネルを通して前記基地局に伝送される。前記ダウンリンクスケジューリングは、前記基地局が各端末にコード、周波数、時間などの有限な無線資源を割り当てる手順で、各端末から受信されるチャネル品質情報に基づいて行われる。
【０００３】
図１は、移動通信システムにおいて、チャネル品質情報（Ｃｈａｎｎｅｌ  Ｑｕａｌｉｔｙ  Ｉｎｆｏｒｍａｔｉｏｎ）測定及び伝送方法を示した一実施例の説明図である。図１を参照すると、端末（Ｕｓｅｒ  Ｅｑｕｉｐｍｅｎｔ；ＵＥ）１２は、基地局１１から伝送される信号を用いてダウンリンクチャネルを通して伝送されるチャネル品質を測定する（１０１）。そして、端末１２は、測定された値を基地局１１に報告する（１０２）。このとき、前記測定されたチャネル品質は、例えば、量子化されたＣＱＩ情報を用いて伝送することもでき、搬送波対干渉及び雑音比（Ｃａｒｒｉｅｒ  ｔｏ  Ｉｎｔｅｒｆｅｒｅｎｃｅ  ａｎｄ  Ｎｏｉｓｅ  Ｒａｔｉｏ；以下、‘ＣＩＮＲ’という。）値として伝送することもできる。基地局１１は、受信されたＣＱＩを用いて端末選択、無線資源割り当てなどのスケジューリングを行う。
【０００４】
通常、‘ＣＱＩ’は、チャネルの品質を量子化して等級別に細分したとき、各等級を指示する指示子を意味するが、本文書における‘ＣＱＩ’は、‘チャネル品質等級指示子’を含む一般的な意味のチャネル品質情報を意味するものとして使用される。
【０００５】
従来には、移動通信システムの類型によって多様な種類のチャネル品質情報伝達方法が開示されている。そのうち一つは、端末がチャネル品質情報を伝送するときに物理チャネル制御情報の量を減少させるために、全てのチャネル品質情報を伝送せずに、差等情報（ｄｉｆｆｅｒｅｎｔｉａｌ  ｉｎｆｏｒｍａｔｉｏｎ）などの一部の情報のみを周期的または非周期的に伝送し、必要に応じて全体のチャネル品質情報を伝送する方式である。このとき、一部のチャネル品質情報は、差等変調（Ｄｉｆｆｅｒｅｎｔｉａｌ  Ｍｏｄｕｌａｔｉｏｎ：ＤＭ）などの方法によって物理制御チャネルに伝送される。
【０００６】
従来技術に係るチャネル品質情報伝送方法によると、端末から基地局にチャネル品質情報を伝送するとき、突然なチャネル状況変化などの要因によって、前記基地局が、伝送過程でエラーの発生した不正確なチャネル品質情報を受信する危険性がある。前記基地局が不正確なチャネル品質情報を受信し、これに基づいてダウンリンクスケジューリングを行うと、有限な無線資源の配分が効率的に行われなくなり、結果的に全体システムの性能に否定的な影響を及ぼすようになる。
【０００７】
一方、直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；以下、‘ＯＦＤＭ’という。）技術は、高速の伝送率を有するデータストリームを、低い伝送率を有する多数のデータストリームに分けて、分けられた各データ列に相応する多数の搬送波を用いてデータストリームを伝送する方式である。すなわち、前記各搬送波を副搬送波というが、それぞれの搬送波が互いに直交性を有するので、受信端では、各搬送波を通して伝送されるデータストリームを独立的に検出することができる。
【０００８】
前記ＯＦＤＭシステムのように多数の周波数を使用して通信を行うシステムにおいて、全体の帯域に相応する一つのＣＱＩのみを報告すると、全体の帯域を構成する一部の周波数帯域（ＣＱＩ獲得のために区分された周波数帯域）のチャネル品質状態を正確に推定することができない。したがって、前記全体の帯域を構成する各周波数帯域別にＣＱＩを用いたスケジューリングを行えなくなるので、効率的に通信を行えないという問題点がある。
【発明の開示】
【発明が解決しようとする課題】
【０００９】
本発明は、上記のような従来技術の問題点を解決するためになされたもので、その目的は、基地局がダウンリンクスケジューリングを行うときに基礎資料として用いるチャネル品質情報に発生しうる受信エラーを減少させ、無線資源を効率的に配分できるようにする移動通信システムでのチャネル品質情報伝送方法及びその支援方法を提供することにある。
【００１０】
本発明の他の目的は、限定された物理チャネル資源を効率的に活用し、より正確なＣＱＩ情報を報告することで、効率的なダウンリングスケジューリングを行える方法を提供することにある。
【課題を解決するための手段】
【００１１】
上記のような技術的課題を達成するための本発明の一特徴は、基地局が端末から受信したチャネル品質情報の一部や全部または前記チャネル品質情報に対してデータ処理が行われた結果をフィードバック情報として前記端末に伝送することにある。前記フィードバック情報は、周期的に、非周期的にまたは所定のイベントが発生したときに伝送される。
【００１２】
本発明の他の特徴は、端末が、基地局から受信されたフィードバック情報を自身の保存しているチャネル品質情報と比較し、前記端末が基地局に伝送したチャネル品質情報と前記基地局が受信したチャネル品質情報とを一致させるための誤差情報を前記基地局に伝送することにある。前記誤差情報は、一定の条件が満足される場合に伝送される。前記一定の条件及び前記一定の条件が満足されるかどうかを判断するためのパラメータは、前記基地局から前記端末に伝送される。
【００１３】
本発明の更に他の特徴は、基地局が、端末から伝送された誤差情報を受信し、受信された誤差情報によって前記基地局の保存しているチャネル品質情報を修正し、修正されたチャネル品質情報を用いてダウンリンクスケジューリングを行うことにある。
【００１４】
本発明の一様相として、本発明に係る移動通信システムでのチャネル品質情報伝送方法は、移動通信システムで端末から基地局にチャネル品質情報を伝送する方法において、前記基地局から受信された信号に基づいて測定されたチャネル品質情報を前記基地局に伝送する段階と、前記基地局から前記チャネル品質情報に対するフィードバック情報を受信する段階と、前記フィードバック情報に基づいて前記端末が伝送したチャネル品質情報と前記基地局によって受信されたチャネル品質情報とを一致させるための誤差情報を前記基地局に伝送する段階と、を含んで構成されることを特徴とする。
【００１５】
本発明の他の様相として、本発明に係る移動通信システムでのチャネル品質情報伝送支援方法は、移動通信システムにおいて、基地局から伝送された信号に基づいて測定されたチャネル品質情報を端末から受信する段階と、前記受信されたチャネル品質情報と前記端末によって伝送されたチャネル品質情報とを比較するためのフィードバック情報を前記端末に伝送する段階と、を含んで構成されることを特徴とする。
【００１６】
本発明の更に他の様相として、本発明に係るチャネル品質情報伝送方法は、２以上の搬送波を用いてデータを伝送するシステムに適用されるチャネル品質情報伝送方法において、全体の周波数帯域が多数のＣＱＩ帯域からなり、前記ＣＱＩ帯域に相応するＣＱＩを伝送し、一定の大きさ以上である第１情報を媒体接続制御（Ｍｅｄｉｕｍ  Ａｃｃｅｓｓ  Ｃｏｎｔｒｏｌ；ＭＡＣ）シグナリングを用いて伝送する段階と、前記ＣＱＩ帯域に相応するＣＱＩを伝送し、一定の大きさ以下である第２情報を物理チャネルを用いて伝送する段階と、を含んで構成されることを特徴とする。
【発明の効果】
【００１７】
本発明による移動通信システムでのチャネル品質情報伝送方法及びその支援方法によると、次のような効果がある。
【００１８】
第一に、端末が基地局にダウンリンクチャネル品質情報を伝送する過程で発生するエラーを訂正することができる。
【００１９】
第二に、基地局が正確なチャネル品質情報を用いてダウンリンクスケジューリングを行うことで、有限な無線資源の効率的な配分が可能であり、結果的に全体システムの性能を向上させることができる。
【発明を実施するための最良の形態】
【００２０】
以下の添付された図面を参照して説明される本発明の好適な実施例によって、本発明の構成、作用及び他の特徴を容易に理解できるだろう。
【００２１】
従来技術のように、全体の可用帯域をＣＱＩ測定帯域として使用し、これに対する平均ＣＱＩ値を報告すると、細部的な周波数帯域別スケジューリングを行うことができない。一方、物理チャネルを用いたＣＱＩ報告方法は、周波数領域スケジューリングを行えない構造で設計されている。また、物理チャネル資源が制限されているので、多量の制御情報を伝送することが難しい。一方、ＭＡＣシグナリングを用いてＣＱＩを伝送すると、物理チャネルとの緊密な動作が容易でなく、時間遅延が発生するので、周波数領域のチャネル変化に適応的に対処することが難しい。
【００２２】
したがって、本発明の一特徴は、物理チャネル（ＣＱＩＣＨ）には、迅速な伝達が要求される少量の情報を伝送し、ＭＡＣシグナリングには、物理チャネル情報に比べて時間にそれほど敏感でない多量のＣＱＩ情報を伝送する方法を提供することにある。
【００２３】
ＣＱＩを報告するために、次のような方法を使用することができる。物理チャネルを用いてＣＱＩ（例えば、有効ＣＩＮＲ）を報告するＣＱＩＣＨチャネル方式を使用することができ、ＭＡＣシグナリングを用いてＣＱＩ（例えば、有効ＣＩＮＲ）を報告することもできる。
【００２４】
ダウンリンクチャネル品質を測定するために、基地局は、まず、ダウンリンク品質測定領域（時間及び／または周波数領域）を端末に知らせる。前記測定領域は、該当のデータ領域内に挿入されたパイロットや、全ての端末に伝達されるプリアンブル領域または他の用途で使用される資源領域を意味する。端末は、指定された領域に対するＣＩＮＲ測定値を基地局に伝送する。
【００２５】
一方、周波数領域スケジューリングを行って利得を得るために、帯域ＡＭＣ作用モード（Ｂａｎｄ  ＡＭＣ  ｏｐｅｒａｔｉｏｎ  Ｍｏｄｅ）を定義することができる。帯域ＡＭＣ作用モードは、全体の帯域を多数個のＡＭＣ用帯域に区分し、各帯域の無線チャネル状態に基づいて端末を選択し、資源を割り当てる。このとき、無線チャネル状態情報は、端末から伝送されたＣＱＩから獲得することができる。例えば、端末は、多数のＡＭＣ用帯域に対して無線チャネル品質を測定し、このうち最も優秀な何個かのＡＭＣ帯域の識別子（ＩＤ）とＣＩＮＲ値を基地局に報告することができる。上記のようなＣＱＩ報告方法をＭＡＣシグナリング方法という。
【００２６】
図２は、物理階層チャネルを用いてＣＱＩを伝送する方法を示した一実施例の説明図である。以下、物理階層チャネルの一例として、ＣＱＩＣＨを通してＣＱＩ情報を伝送する方法を説明する。図２に示すように、まず、基地局は、測定対象に関する情報を端末に伝送する（Ｓ２１）。すなわち、前記測定対象に関する情報は、時間及び／または周波数領域上の位置として、予め指定されている。また、測定領域が予め定義されていない場合、基地局は、ダウンリンク測定を行うためにパイロット（基準信号）が伝送される測定対象領域を端末に知らせる。前記測定領域は、パイロット伝送のために資源ブロック（Ｒｅｓｏｕｒｃｅ  Ｂｌｏｃｋ；ＲＢ）によって構成された時間−周波数領域を意味する。
【００２７】
一方、ダウンリンク品質を測定するために、上記のように特定の測定領域を指定したり、特定の測定領域を指定せずに、全ての端末が、共通的に伝達されるパイロット（例えば、プリアンブル、基準パイロット、基準信号）を用いてチャネルを測定することもできる。
【００２８】
多重アンテナを使用する場合、共用パイロットの他に付加的な（ＭＩＭＯ用）パイロット信号（または基準信号）を追加的に構成し、これを端末に知らせる方式を選択することができる。多重アンテナを使用する場合、アンテナ別にチャネル状況がそれぞれ異なることから、アンテナ別にチャネル推定が必要であるので、専用パイロットが必要であり、このとき、何れの位置の何れのパイロットを測定すべきであるかを基地局が端末に指定する必要がある。この場合、予め定められた位置を指定する方式と、必要な時ごとに位置情報と該当のパイロットを伝送する方式を適用することができる。
【００２９】
基地局は、ＣＱＩ報告のための物理階層制御チャネルを前記端末に割り当てて（Ｓ２２）、前記端末は、前記測定対象領域を通して伝送される信号を測定し、ＣＱＩ情報を獲得する（Ｓ２３）。そして、端末は、獲得したＣＱＩ情報を前記割り当てられた物理階層制御チャネルを通して伝送する（Ｓ２４）。
【００３０】
以下、物理階層制御チャネルを通してＣＱＩを基地局に伝送する方法の各実施例を説明する。
【００３１】
第１実施例として、全体のＣＱＩ帯域に対する一つの平均値を物理階層に伝送することができる。この場合、各ＣＱＩ帯域に対する識別子（ＩＤ）は必要でない。また、非周期的に全体のＣＱＩ帯域のＣＱＩ値を報告する方法が追加される。しかしながら、ＣＱＩ情報量が大いに増加する場合、物理チャネルの資源が限定されているので、これに能動的に対処することが難しい。
【００３２】
第２実施例として、全体のＣＱＩ帯域に対する平均値と以前の平均値との差等情報（Ｄｉｆｆｅｒｅｎｔｉａｌ  Ｍｏｄｕｌａｔｉｏｎ；以下、‘ＤＭ’という。）を伝送する。この場合、ＤＭ情報のエラー状況に対処するために、周期的または非周期的に全体のＣＱＩ帯域の平均値情報または平均していない全体の情報を伝送する必要がある。
【００３３】
第３実施例として、全体のＣＱＩ帯域の個別的な値を全て伝送することができる。この場合、チャネル情報の伝達が確実である反面、伝送すべき物理チャネル制御情報量が大いに増加する。
【００３４】
第４実施例として、優秀なチャネル状況を有する（または優秀なチャネル状況と不良なチャネル状況を有する）何個（Ｎ）かのＣＱＩ帯域のＣＱＩ値を物理チャネルに伝送する。この場合、選択されたＣＱＩ帯域のＩＤ情報を伝達しなければならない。
【００３５】
第５実施例として、優秀なチャネル状況を有する（または優秀なチャネル状況と不良なチャネル状況を有する）何個（Ｎ）かのＣＱＩ帯域のＣＱＩ値のＤＭ情報を伝送することができる。この場合にも、選択されたＣＱＩ帯域のＩＤ情報を伝送しなければならない。このとき、ＣＱＩ帯域の個別的なＣＱＩ値を周期的または非周期的に伝送する必要がある。
【００３６】
第６実施例として、一度に一つのＣＱＩ帯域に該当するＣＱＩ値のみを伝送する。この場合、全体のＣＱＩ帯域のチャネル情報を全て伝送するとき、時間遅延が長くなり得る。このとき、ＣＱＩ帯域の選択は順次的に行い、周期的／非周期的に全体のチャネル情報を伝送する必要がある。
【００３７】
第７実施例は、第６実施例と同一であるが、ＤＭ情報のみを伝送することに特徴がある。この場合、時々全体のチャネル情報を伝送する必要がある。
【００３８】
第８実施例として、一度に一つのＣＱＩ帯域値のみを伝送する。このとき、ＣＱＩ帯域の選択基準の例として、最も優秀なチャネル品質を有する場合または最も不良なチャネル品質を有する場合がある。
【００３９】
第９実施例は、第４実施例と同一であるが、選択されたＮ個の平均ＣＱＩ値を伝送することができる。
【００４０】
前記各実施例の方法でＣＱＩを基地局に伝送すると、基地局では、前記受信されたＣＱＩを用いてダウンリンクスケジューリングを行う（Ｓ２５）。
【００４１】
図３は、物理階層チャネル及びＭＡＣシグナリングを用いてＣＱＩを伝送する方法を示した一実施例の説明図である。以下、物理階層チャネルの一例として、ＣＱＩＣＨを通してＣＱＩ情報を伝送する方法を説明する。図３に示すように、まず、基地局は、測定対象に関する情報を端末に伝送する（Ｓ３１）。すなわち、前記測定対象に関する情報は、時間及び／または周波数領域上の位置として、予め指定されている。また、測定領域が予め定義されていない場合、基地局は、ダウンリンク測定を行うためにパイロットが伝送される測定対象領域を端末に知らせる。前記測定領域は、パイロット伝送のために資源ブロック（Ｒｅｓｏｕｒｃｅ  Ｂｌｏｃｋ；ＲＢ）によって構成された時間−周波数領域を意味する。
【００４２】
一方、ダウンリンク品質を測定するために、上記のように特定の測定領域を指定したり、特定の測定領域を指定せずに、全ての端末が、共通的に伝達されるパイロット（例えば、プリアンブル、基準パイロット）を用いてチャネルを測定することもできる。
【００４３】
多重アンテナを使用する場合には、共用パイロットの他に付加的な（ＭＩＭＯ用）パイロット信号を追加的に構成し、これを端末に知らせる方式を選択することができる。多重アンテナを使用する場合、アンテナ別にチャネル状況がそれぞれ異なることから、アンテナ別にチャネル推定が必要であるので、専用パイロットが必要であり、このときには、何れの位置の何れのパイロットを測定すべきであるかを基地局が端末に指定する必要がある。この場合、予め定められた位置を指定する方式と、必要な時ごとに位置情報と該当のパイロットを伝送する方式が可能である。
【００４４】
基地局は、ＣＱＩ報告のための物理階層制御チャネルを割り当てて、ＭＡＣシグナリング情報を伝送する必要がある場合には、ＭＡＣ資源も前記端末に割り当てる（Ｓ３２）。そして、前記端末は、前記測定対象領域を通して伝送される信号を測定し、ＣＱＩ情報を獲得する（Ｓ３３）。そして、端末は、獲得したＣＱＩ情報を前記割り当てられた物理階層制御チャネル及び／またはＭＡＣシグナリングを通して伝送するが（Ｓ３４）、アップリンクＭＡＣスケジューリング結果を確認し、アップリンクＭＡＣ資源がスケジューリングされた場合、物理制御チャネルとＭＡＣシグナリングを用いてチャネル品質情報を伝送する。一方、アップリンクＭＡＣ資源がスケジューリングされていない場合、物理制御チャネルのみを用いてチャネル品質情報を伝送する。
【００４５】
以下、物理階層制御チャネル及びＭＡＣシグナリングを通してＣＱＩを基地局に伝送する方法の各実施例を説明する。
【００４６】
第１実施例として、選択されたＮ個のＣＱＩ帯域のＣＱＩ値を物理チャネルに伝送する。このとき、選択基準の例は、チャネル品質状態である。ここで、選択されたＣＱＩ帯域のＩＤ情報を物理チャネルに伝送する。一方、全体のＣＱＩ帯域のＣＱＩ値をＭＡＣシグナリングを通して伝送することもできる。
【００４７】
第２実施例は、前記第１実施例と類似しているが、ＭＡＣシグナリングに伝送される値が全体でない一部のＣＱＩ帯域に相応するＣＱＩ値である点で異なる。
【００４８】
第３実施例として、選択されたＮ個のＣＱＩ帯域に相応するＣＱＩ値のＤＭ情報を物理チャネルに伝送する。このとき、選択されたＣＱＩ帯域のＩＤ情報を物理チャネルに伝送する。非周期的なＭＡＣシグナリングを用いて全体のＣＱＩ帯域のＣＱＩ値を伝送する。
【００４９】
第４実施例は、第３実施例と同一であるが、ＭＡＣシグナリングに伝送される値が全体でない一部の選択されたＣＱＩ帯域のＣＱＩ値のＤＭ情報である点で異なる。
【００５０】
第５実施例として、選択されたＮ個のＣＱＩ帯域のＣＱＩ値を物理チャネルに伝送する。このとき、選択されたＣＱＩ帯域のＩＤは、物理チャネルでないＭＡＣシグナリングに伝送する。したがって、復調時にＩＤ情報と物理チャネル情報との同期が維持されるべきである。また、非周期的に全体のＣＱＩ帯域のＣＱＩ値を全て伝送する必要性がある。
【００５１】
第６実施例として、選択されたＮ個のＣＱＩ帯域のＣＱＩ値のＤＭ情報を物理チャネルに伝送する。このとき、選択されたＣＱＩ帯域のＩＤ情報は、ＭＡＣシグナリングに伝送する。また、非周期的に全体のＣＱＩ帯域に対するＣＱＩ値をＭＡＣシグナリングに伝送する。
【００５２】
第７実施例は、第６実施例と類似しているが、選択されたＣＱＩ帯域ＩＤと選択されたＣＱＩ帯域のＣＱＩ値をＭＡＣシグナリングに伝送する点で異なる。しかしながら、物理チャネルで選択されたＣＱＩ帯域とＭＡＣシグナリングに伝送される‘選択されたＣＱＩ帯域値’との同期が維持されないという問題点がある。
【００５３】
第８実施例として、物理チャネル及びＭＡＣシグナリングに全体のＣＱＩ帯域のＣＱＩ値を伝送する。ただし、物理チャネルは周期的な情報であり、ＭＡＣシグナリングは非周期的な情報である。
【００５４】
第９実施例として、物理チャネルには、全体のＣＱＩ帯域のＣＱＩ値のＤＭ情報を伝送し、ＭＡＣシグナリングには、非周期的に全体のＣＱＩ帯域のＣＱＩ値を伝送する。
【００５５】
第１０実施例として、物理チャネルに一度に一つのＣＱＩ帯域に対するＣＱＩ値を伝送した後、その次のＣＱＩ帯域のＣＱＩ値を伝送する。ＭＡＣシグナリングに非周期的または周期的に全体のＣＱＩ帯域に対するＣＱＩ値を伝送する。
【００５６】
第１１実施例は、第１０実施例と類似しているが、物理チャネルに伝送されるＣＱＩ値がＤＭ情報である点で異なる。
【００５７】
第１２実施例として、物理チャネルに一度に一つの優秀な品質を有するＣＱＩ帯域のみを選択して伝送する。このとき、選択されたＣＱＩ帯域のＩＤが物理チャネルに伝送される。ＭＡＣシグナリングに非周期的または周期的に全体のＣＱＩ帯域に対するＣＱＩ値を伝送する。
【００５８】
第１３実施例は、第１２実施例と類似しているが、選択されたＣＱＩ帯域のＩＤ情報をＭＡＣシグナリングに伝送する点で異なる。このとき、ＩＤ情報と物理チャネル情報との同期が維持されるべきである。
【００５９】
第１４実施例は、第１実施例と類似しているが、選択されたＣＱＩ帯域の平均値が伝送される点で異なる。
【００６０】
第１５実施例は、第５実施例と類似しているが、選択されたＣＱＩ帯域の平均値が伝送される点で異なる。
【００６１】
前記各実施例の方法でＣＱＩを基地局に伝送すると、基地局では、前記受信されたＣＱＩを用いてダウンリンクスケジューリングを行う（Ｓ３５）。
【００６２】
図４は、図３の各実施例のうち、物理チャネルにＤＭ情報を伝送し、ＭＡＣシグナリングに全体のＣＱＩ帯域のＣＱＩを伝送する方法を示した一実施例の説明図である。図４に示すように、端末は、ＭＡＣシグナリングを用いて全てのＣＱＩ帯域に相応するＣＱＩ情報（ｆｕｌｌ  ＣＱＩ）を基地局に伝送することができる。一方、前記ＭＡＣシグナリングを用いてＤＭによるＣＱＩ増減情報のための基準ＣＱＩ値を伝送することもできる。そして、端末は、前記基準ＣＱＩ値に基づいて、ＣＱＩ増減情報（ＤＭ  ＣＱＩ）を物理チャネル（例えば、ＣＱＩＣＨ）を通して伝送することができる。
【００６３】
このとき、端末がＭＡＣシグナリングを用いて伝送する情報は、基地局のスケジューラによって定められた時間に伝送されるか、周期的にまたは特定のイベントが発生した場合に限って伝送される。一方、前記ＤＭ情報は、物理チャネルを通して周期的に伝送されるが、一つのサブフレームを用いてＤＭ情報を伝送することができる。このとき、ＤＭ情報の伝送周期は調節可能である。
【００６４】
上記のように、周期的で、迅速な応答を必要とするＣＱＩは物理階層に伝送し、非周期的で、大きい情報量を有する情報はＭＡＣシグナリングを用いて伝送することができる。また、物理階層情報量を最小化するためにＤＭを使用することができる。このように伝送することで、チャネル変化に迅速に対応可能な正確なチャネル品質情報を伝送することができ、物理階層に伝送される情報量を最小化することができる。
【００６５】
図５は、本発明の好適な一実施例のフローチャートである。図５を参照すると、基地局は、端末との呼設定（ｃａｌｌ  ｅｓｔａｂｌｉｓｈｍｅｎｔ）過程または呼設定以後のデータ伝送過程で前記端末に基準信号を伝送する（Ｓ５１）。前記端末は、前記基地局から受信された基準信号を用いてダウンリンクチャネルの品質を測定する（Ｓ５２）。前記基準信号は、コード分割多重接続（ＣＤＭＡ）システムでのパイロットチャネルを通して伝送される信号、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）やＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）システムでのプリアンブル、ミッドアンブル信号、または、パイロット信号などのように基地局と端末が全て知っている信号を意味する。前記端末は、前記基準信号の変形程度を把握し、ダウンリンクチャネルの品質を測定することができる。一方、前記端末は、自身に割り当てられた周波数帯域を多数の区間に分けて、各区間のチャネル品質を測定することができる。以下、‘区間’は、チャネル品質を測定する単位帯域を意味することから、‘ＣＱＩ帯域’と同一の意味で使用される。
【００６６】
前記端末は、ダウンリンクチャネルの品質を測定した後、チャネル品質情報を前記基地局に伝送する（Ｓ５３）。図５の実施例では、前記チャネル品質情報としてＣＱＩ（Ｃｈａｎｎｅｌ  Ｑｕａｌｉｔｙ  Ｉｎｄｉｃａｔｏｒ）を使用したが、ＣＩＮＲ、ＢＥＲ、ＦＥＲなども前記チャネル品質情報として使用される。ＣＱＩは、チャネルの品質を等級別に細分したとき、各等級を指示する指示子を意味する。例えば、チャネルの品質を３２段階に細分した場合、各等級は、５ビットのＣＱＩによって識別される。前記端末に割り当てられた周波数帯域を多数の区間（ＣＱＩ帯域）に分けてチャネル品質を測定した場合、各区間別ＣＱＩを前記基地局に伝送する。前記端末がＣＱＩを前記基地局に伝送する具体的な方法は、具体的なチャネル品質情報伝送技法によって変わり得る。
【００６７】
前記基地局は、前記端末から受信されたＣＱＩに対するフィードバック情報を前記端末に伝送する（Ｓ５４）。前記フィードバック情報は、前記端末から受信されたＣＱＩを用いて多様な形態で構成される。一例として、前記基地局は、前記端末から受信されたＣＱＩを前記フィードバック情報として伝送することができる。他の一例として、前記基地局は、前記端末から一部の帯域に対するＣＱＩを受信し、前記受信された一部の帯域に対するＣＱＩから全体の帯域に対するチャネル品質情報を推定した後、推定された全体の帯域に対するチャネル品質情報を伝送することも可能である。
【００６８】
前記基地局は、前記フィードバック情報を周期的または非周期的に前記端末に伝送することができる。また、所定のイベントが発生したり、前記端末からの要請がある場合、前記フィードバック情報を前記端末に伝送することも可能である。前記基地局が前記端末に周期的に前記フィードバック情報を伝送する場合、制御チャネルを通して伝送することが好ましい。前記基地局が前記端末に非周期的に前記フィードバック情報を伝送する場合、ＭＡＣ（Ｍｅｄｉｕｍ  Ａｃｃｅｓｓ  Ｃｏｎｔｒｏｌ）シグナリングを用いてトラフィックチャネルを通して伝送することが好ましい。前記フィードバック情報は、伝送過程でエラーが発生するとしても、前記端末でエラーを検出して訂正できるように、チャネル符号化を行うことが好ましい。
【００６９】
以下、図５のＳ５３及びＳ５４過程を、具体的な例を挙げて説明する。以下で説明される例は、端末が周波数帯域を１２個の区間（ＣＱＩ帯域）に分けて、各区間別に３２ＭＣＳ（Ｍｏｄｕｌａｔｉｏｎ  ａｎｄ  Ｃｏｄｉｎｇ  Ｓｅｔ）レベルに分けてＤＭ（Ｄｉｆｆｅｒｅｎｔｉａｌ  Ｍｏｄｕｌａｔｉｏｎ）形態でＣＱＩを伝送する例である。
【００７０】
表１は、ｔ＝１である時点で端末がダウンリンクチャネル品質を測定し、基地局に伝送するＤＭ  ＣＱＩ情報を算出する過程を説明するためのものである。
【００７１】
【表１】
2009529252.tif 000003
表１において、‘区間’は、全体の周波数帯域を１２個のＣＱＩ帯域に分けたときの各ＣＱＩ帯域を意味する。‘Ｆｕｌｌ  ＣＱＩ（ｔ＝０）’は、ｔ＝０である時点で前記端末が測定した各区間別ＣＱＩで、‘Ｆｕｌｌ  ＣＱＩ（ｔ＝１）’は、ｔ＝１である時点で前記端末が測定した各区間別ＣＱＩである。‘ＤＭ  ＣＱＩ’は、各区間別‘Ｆｕｌｌ  ＣＱＩ（ｔ＝１）’と‘Ｆｕｌｌ  ＣＱＩ（ｔ＝０）’の差等情報を意味するもので、ｔ＝１である時点で前記端末が前記基地局に伝送するＣＱＩ情報である。
【００７２】
表２は、ｔ＝２である時点で前記基地局が前記端末に伝送するフィードバック情報を算出する過程を説明するためのものである。
【００７３】
【表２】
2009529252.tif 000004
表２において、‘ＤＭ  ＣＱＩ（ｔ＝２）’は、ｔ＝１である時点で前記端末から伝送され、ｔ＝２である時点に前記基地局によって受信された各区間別ＤＭ  ＣＱＩを意味する。表２の例は、‘１１番目の区間と１２番目の区間で伝送途中にエラーが発生した場合である。‘Ｆｕｌｌ  ＣＱＩ（ｔ＝１）’は、ｔ＝２である時点の前まで前記基地局が知っている各区間別ＣＱＩとして、ｔ＝２である時点までにはエラーが発生しないと仮定した。‘Ｆｕｌｌ  ＣＱＩ（ｔ＝２）’は、前記基地局によって‘ＤＭ  ＣＱＩ（ｔ＝２）’及び‘Ｆｕｌｌ  ＣＱＩ（ｔ＝１）’から算出されたｔ＝２時点での各区間別ＣＱＩとして、前記基地局が前記端末に伝送するフィードバック情報である。このとき、前記基地局は、前記端末から受信した‘ＤＭ  ＣＱＩ（ｔ＝２）’をフィードバック情報として前記端末に伝送することも可能である。
【００７４】
前記端末は、前記基地局から受信されたフィードバック情報と前記端末が保存しているＣＱＩ情報とを比較する（Ｓ５５）。表３は、前記端末が前記フィードバック情報をエラーなしに受信したと仮定したとき、ｔ＝３である時点での各区間別比較結果である。
【００７５】
【表３】
2009529252.tif 000005
表３において、‘Ｆｕｌｌ  ＣＱＩ（ｔ＝１）’は、前記端末が知っている各区間別ＣＱＩで、‘Ｆｕｌｌ  ＣＱＩ（ｔ＝３）’は、ｔ＝３である時点で前記基地局から受信したフィードバック情報である。‘Δ’は、‘Ｆｕｌｌ  ＣＱＩ（ｔ＝１）’と‘Ｆｕｌｌ  ＣＱＩ（ｔ＝３）’との間の誤差を表す。表２において、１１番目の区間と１２番目の区間でエラーが発生したと仮定したので、前記端末で前記基地局から受信されたフィードバック情報と前記端末が保存しているＣＱＩ情報とを比較する場合にも、前記１１番目の区間と１２番目の区間で誤差が発生した。
【００７６】
前記端末は、前記基地局から受信されたフィードバック情報と前記端末が保存しているＣＱＩ情報との比較結果、所定の条件を満足すると、前記基地局によって受信されたＣＱＩ情報と前記端末によって伝送される当時のＣＱＩ情報とを一致させるための誤差情報を伝送する必要があるかを決定する（Ｓ５６）。前記誤差情報を伝送する必要があると判断するための所定の条件の例は、次の通りである。
【００７７】
第一に、第１臨界値以上の区間でエラーが発生した場合、すなわち、表３で‘Δ’値が０でない区間の個数が前記第１臨界値以上である場合、前記誤差情報を伝送する必要があると判断することができる。前記第１臨界値は１以上の値になり得る。
【００７８】
第二に、‘Δ’値の絶対値が第２臨界値Ｋより大きい場合、該当の区間でエラーが発生したと判断し、前記該当の区間または全体区間の誤差情報を伝送する必要があると判断することができる。
【００７９】
第三に、全体のＮ個の区間、すなわち、Ｎ個のＣＱＩ帯域のうち‘Δ’値の絶対値が前記第２臨界値Ｋより大きいＣＱＩ帯域が第３臨界値以上である場合、前記誤差情報を伝送する必要があると判断することができる。
【００８０】
第四に、全体のＮ個のＣＱＩ帯域のエラー平均が第４臨界値Ｙ以上である場合、前記誤差情報を伝送する必要があると判断することができる。
【００８１】
第五に、全体のＮ個のＣＱＩ帯域のうちエラーが発生したＣＱＩ帯域のエラー平均が第４臨界値Ｚ以上である場合、前記誤差情報を伝送する必要があると判断することができる。
【００８２】
前記端末が前記誤差情報を伝送する必要があるかを決定するための前記所定の条件及び各条件による第１臨界値乃至第４臨界値は、前記基地局が前記フィードバック情報を伝送するときまたは呼設定のためのシグナリング過程で前記端末に伝送することができる。他の方法として、前記条件及びそれによる臨界値を前記基地局と端末との事前の約束によって設定することも可能である。更に他の方法としては、前記端末が自体的に決定して前記誤差情報を伝送するとき、前記条件及びそれによる臨界値を前記基地局に知らせる方法も可能である。
【００８３】
再び図５を参照すると、前記端末が前記基地局に誤差情報を伝送する必要があると判断した場合、前記誤差情報を伝送する（Ｓ５７）。前記端末は、前記誤差情報として全体のＣＱＩ情報の一部または全部を伝送することができる。ＣＱＩ情報の一部を伝送する場合、エラーの発生したＣＱＩ帯域に対する‘Ｆｕｌｌ  ＣＱＩ’値や‘Δ’値を伝送することができ、ＣＱＩ情報の全部を伝送する場合、エラーの発生したＣＱＩ帯域を含む全体のＣＱＩ帯域の‘Ｆｕｌｌ  ＣＱＩ’値や‘Δ’値を伝送することができる。
【００８４】
前記端末は、競争基盤（ｃｏｎｔｅｎｔｉｏｎ−ｂａｓｅｄ）の伝送方式またはスケジューリング伝送方式によって前記誤差情報を前記基地局に伝送することができる。前記競争基盤の伝送方式は、非スケジューリング（ｎｏｎ−ｓｃｈｅｄｕｌｅｄ）または自動（ａｕｔｏｎｏｍｏｕｓ）伝送方式とも呼ばれるもので、前記基地局に前記誤差情報伝送のための別途のチャネル割り当てを要請せずに、前記基地局によって競争基盤で予め割り当てられたチャネルを通して前記誤差情報を伝送する方式である。前記スケジューリング伝送方式は、前記端末が、前記誤差情報を伝送するために前記基地局にチャネル割り当てを要請し、前記基地局からチャネルの割り当てを受け、割り当てられたチャネルを通して前記誤差情報を伝送する方式である。
【００８５】
前記基地局は、前記端末から前記誤差情報を受信し、受信された誤差情報を用いて前記基地局が保存しているエラーのあるＣＱＩ帯域のＣＱＩ情報を修正する（Ｓ５８）。前記基地局は、前記修正されたＣＱＩ情報を用いてダウンリンクスケジューリングを行う（Ｓ５９）。
【００８６】
本発明がその精神及び必須的な特徴を逸脱しない範囲で他の特定の形態に具体化されうることは、当業者にとって自明である。したがって、上述した詳細な説明は、全ての面で制約的に解析されてはならなく、例示的なものとして考慮されるべきである。本発明の範囲は、添付された特許請求の範囲の合理的な解析によって決定されるべきで、本発明の等価的な範囲内での全ての変更は本発明の範囲に含まれる。
【図面の簡単な説明】
【００８７】
【図１】移動通信システムにおいて、チャネル品質情報測定及び伝送方法を示した一実施例の説明図である。
【図２】物理階層チャネルを用いてＣＱＩを伝送する方法を示した一実施例の説明図である。
【図３】物理階層チャネル及びＭＡＣシグナリングを用いてＣＱＩを伝送する方法を示した一実施例の説明図である。
【図４】図３の各実施例のうち、物理チャネルにＤＭ情報を伝送し、ＭＡＣシグナリングに全体のＣＱＩ帯域のＣＱＩを伝送する方法を示した一実施例の説明図である。
【図５】本発明の好適な一実施例のフローチャートである。
【図１】
2009529252.tif 000006
【図２】
2009529252.tif 000007
【図３】
2009529252.tif 000008
【図４】
2009529252.tif 000009
【図５】
2009529252.tif 000010